(57)【要約】【課題】小物物品収納と発音機能による防犯の双方の機能を有する、防犯機能付き携帯小物収納ケースを提供する。【解決手段】ケース本体内に、発音部および発音制御部を内蔵した発音箱を設け、ケース内外適所に発音のためのスイッチを設けるとともに、発音箱とスイッチを配線し、スイッチ操作にてケース自体が発音するよう構成したことを特徴とする。【選択図】      図５
2005270612.tif 000002
【特許請求の範囲】
【請求項１】
ケース本体内に、発音部および発音制御部を内蔵した発音箱を設け、ケース内外適所に発音のためのスイッチを設けるとともに、発音箱とスイッチを配線し、スイッチ操作にてケース自体が発音するよう構成したことを特徴とする防犯機能付き携帯小物収納ケース。
【発明の詳細な説明】
【技術分野】
【０００１】  この発明は、携帯電話、デジタルカメラ、携帯ラジオ等の携帯小物品の収納ケースであるとともに、非常時の発音機能を備えた防犯機能付きの携帯小物収納ケースに関する。
【背景技術】
【０００２】  従来より、携帯物品収納ケースとりわけ携帯電話用の収納ケースが多用されているが、本発明にて示すように、このようなケースに発音機能を装備したものは現在のところ見当たらない。
【発明の開示】
【発明が解決しようとする課題】
【０００３】  携帯電話等の小物品は必要に応じてすみやかに取り出して使用することが求められ、携帯電話用の収納ケースが多用されている。一方、非常時の防犯用として防犯ブザーも市販利用され、これらは各々に使い分けられている。そのため、必要に応じて２種の物品を所持しなければならない。また、防犯ブザーなどをポケットやバッグに収納していたとき、その収納場所からすばやく取り出して使用することが大事であるが、その位置確認に手間取ることも多く、緊急時にすばやく発音させることができ、かつ１種の物品で収納と発音の双方の機能を有する物品が望まれていた。
本発明は以上のような従来からの小物収納および防犯に関わる課題を解決するために発明されたもので、１種の物品にて収納と防犯の双方の機能を有する物品を提供することを目的としたものである。
【課題を解決するための手段】
【０００４】  課題を解決する手段として本発明は、ケース本体に発音箱とスイッチを設けてその主要部を構成した。
すなわち、ケース本体内に、発音部および発音制御部を内蔵した発音箱を設け、ケース内外適所に発音のためのスイッチを設けるとともに、発音箱とスイッチを配線し、スイッチ操作にてケース自体が発音するよう構成する。
本発明は、以上の構成よりなる防犯機能付き携帯小物収納ケースである。
【発明の効果】
【０００５】  本発明によれば、小物収納ケースにスイッチ操作による発音機能を設けているので、非常時にスイッチを操作してすばやく発音させることができ、従来のように収納ケースと防犯ブザーの双方所持の必要のない有益なる物品を提供することができる。また、ケース各部に複数のスイッチを設けることで、とっさの場合にも容易確実に発音させて防犯目的を達することができる。
【発明を実施するための最良の形態】
【０００６】  以下、本発明の実施形態について説明する。
図において、１は略Ｕ字形のケース本体で、適宜厚の皮革を折曲して形成され、その上端は高低がつけられる。２はスポンジ製のクッション体で、ケース本体両内面に貼着される。このクッション体は凹凸を有する側面を有し、下方は先細になっている。また、このクッション体はケース本体内に設けられた弾力板（後述）の内面にも貼着される。
３は発音箱で、中空直方体であり、ケース本体内面底部に固着される。この発音箱は外箱４に引き出しとしての内箱５がスライド可能に設けられ、内箱内には電池部６と制御回路および発音体（市販ブザー等）を含む制御部７が設けられ、制御部端には停止スイッチ８が突設される。９は外箱内側面に設けられる保持板で、雌ネジが刻設されている。また外箱にも雌ネジが刻設されて雄ネジ１０が螺着している。従って、この双方の雄ネジを回して保持板から雄ネジを外すことにより、内箱をスライドさせて引き出し、電池交換や停止スイッチの作動を行うことができる。１１は外箱上方に突出している底部スイッチで、これを押圧して発音させることができる。１２はバックスイッチで、発音箱から突出している接触子１３が、ケース本体の孔より突出しており、この接触子に近接して平板１４が、クッション体１５を介してケース本体下方に貼着された構成であり、この平板を押すことによって接触子を押し下げ、発音箱内の発音体を発音させることができる。なお、発音箱側面には多数の細孔１６が穿設され、発音の外部への漏洩を容易としている。【０００７】  １７は側板で、発音箱上面から立ち上がり、幅広の上部がケース本体内面に貼着され、ケースの外形保持役割を有している。１８は弾力板で、内部に鋼板を有する合成樹脂板であってその下部は内側に斜方に折曲されている。１９は側面スイッチで、一方の側板上部より突出した部分で、その内部にスイッチが設けられる。この側面スイッチは押圧によりスイッチＯＮとなり、発音体を発音させる。さらにこの側面スイッチ上面には、上面スイッチ２０が設けられる。この側面スイッチの上方に突出した板体に環体２１が係止されており、この環体に紐を結びつけて、この紐を上方または下方に引くことによりスイッチＯＮとなって発音させることができる。なお、発音箱と各スイッチは適宜に配線される。
本発明を使用するには、まず雄ネジを外して内箱を引き出し、電池残量を確認して内箱を元の位置に戻し、雄ネジ螺着にて内箱を固定する。
次ぎに、収納物例えば携帯電話機をケース本体上方から挿入すると携帯電話機幅より双方の弾力板下部距離は狭いため、電話機下部は弾力板に接して止まる。この弾力板は鋼板を内蔵した合成樹脂板のため、電話機の重量を支えてその上下位置が定まる。【０００８】  非常事態発生時にはこの携帯電話機を押し下げると、その押圧にて弾力板下部が開いて電話機はケース本体に対してさらに下方に移動し、底部スイッチを押圧する。
この押圧にて発音体が発音し、一度スイッチＯＮとなった後は発音体の発音が継続するため、周囲に非常事態を知らせることができて、防犯目的を達することができる。
この発音継続を停止するには、発音箱内の停止スイッチを押さねばならない。
そのためには、２個の雄ネジをゆるめて内箱を引き出すことが必要であるが、所定長さの雄ネジを２個外さねばならず、かなりの時間を要するため、所望の時間発音継続することとなって防犯上有効である。
また、本発明では他にいくつかのスイッチが設けられている。その一つは本体ケース背面下部のバックスイッチであり、他に側面スイッチと上面スイッチがある。
バックスイッチは、発音箱から突出している接触子が、ケース本体側面の孔より突出し、この接触子の周りにクッション体が位置し、クッション体に平板が貼着されている構成であり、この平板を軽く押すことで発音させることができる。また、側面スイッチがケース本体に取り付いている側板上部に設けられ、側面スイッチ近傍に上面スイッチが位置している。従って、底部スイッチ、バンクスインチ、側面スイッチ、上面スインチのいずれかを押圧することで発音させることができ、とっさの場合に容易に発音させて目的を達することができる。
なお、本例では皮革にて本体ケースを設けたが、他の素材にて作成してもよい。また、本体ケース内面および弾力板内面にに凹凸を有するクッション体を設けているので、挿入した携帯電話機等の四方の側面を適度に押圧してその脱落を防ぐことができる。なお、本体ケース側面にスプリング式の係止具を設けることで、本体ケースを人体に係止させて便利に使用することができる。
以上のごとく、本発明にて収納と防犯の双方の機能を有する新規かつ有益なる物品を得ることができる。
【図面の簡単な説明】
【０００９】
【図１】  本発明の平面図
【図２】  本発明の正面図
【図３】  本発明の左側面図
【図４】  本発明の右側面図
【図５】  本発明の内部構造説明図（Ａ−Ａ断面・一部断面略）
【符号の説明】
【００１０】  １  ケース本体
２  クッション体
３  発音箱
４  外箱
５  内箱
６  電池部
７  制御部
８  停止スイッチ
９  保持板
１０  雄ネジ
１１  底部スイッチ
１２  バックスイッチ
１３  接触子
１４  平板
１５  クッション体
１６  細孔
１７  側板
１８  弾力板
１９  側面スイッチ
２０  上面スイッチ
２１  環体
２２  携帯電話機
２３  紐
２４  係止具
【図１】
2005270612.tif 000003
【図２】
2005270612.tif 000004
【図３】
2005270612.tif 000005
【図４】
2005270612.tif 000006
【図５】
2005270612.tif 000007